(57)【特許請求の範囲】
【請求項１】
外部装置から受信した印刷ジョブの種類を判断する印刷ジョブ判断手段と、
画像形成に用いるカートリッジを着脱自在に保持する本体と、
前記本体内に保持された前記カートリッジの種類を判断するカートリッジ判断手段と、
前記カートリッジ判断手段により前記カートリッジの種類がＭＩＣＲ（Magnetic  Ink  Character  Recognition）に用いられるＭＩＣＲカートリッジであると判断された場合であって、前記印刷ジョブ判断手段により前記印刷ジョブの種類が、認証情報が付加されたＭＩＣＲ用の印刷ジョブであると判断された場合に、前記認証情報を用いてパスワード認証を行う認証手段と、
記録紙を給紙する給紙トレイを自動的に選択する自動用紙選択時に、給紙対象外とする前記給紙トレイを設定するトレイロック手段と、
前記認証手段により認証された場合に、前記トレイロック手段により給紙対象外とされている前記給紙トレイから給紙して前記ＭＩＣＲ用の印刷ジョブに従って画像形成処理を実行するＭＩＣＲ印刷手段と、
前記認証手段により認証された場合であって、前記ＭＩＣＲ用の印刷ジョブ中に前記給紙トレイの指定がない場合には、給紙対象外とされている前記給紙トレイを検索する第２検索手段と、
を備え、
前記ＭＩＣＲ印刷手段は、前記第２検索手段により検索された給紙対象外とされている前記給紙トレイから給紙して前記ＭＩＣＲ用の印刷ジョブに従って画像形成処理を実行する、
ことを特徴とする画像形成装置。
【請求項２】
前記認証手段により認証された場合であって、前記ＭＩＣＲ用の印刷ジョブ中に前記給紙トレイの指定があった場合に、指定された前記給紙トレイが前記トレイロック手段により給紙対象外とされていない場合には、給紙対象外とされている前記給紙トレイを検索する第１検索手段を備え、
前記ＭＩＣＲ印刷手段は、前記第１検索手段により検索された給紙対象外とされている前記給紙トレイから給紙して前記ＭＩＣＲ用の印刷ジョブに従って画像形成処理を実行する、
ことを特徴とする請求項１に記載の画像形成装置。
【請求項３】
前記認証手段により認証されなかった場合であり、前記ＭＩＣＲ用の印刷ジョブ中に前記給紙トレイの指定がある場合であり、指定された前記給紙トレイが前記トレイロック手段により給紙対象外とされている場合には、前記給紙トレイの指定を解除して、給紙対象外とされていない前記給紙トレイを検索する第３検索手段と、
前記第３検索手段により検索された給紙対象外とされていない前記給紙トレイから給紙して前記ＭＩＣＲ用の印刷ジョブに従って画像形成処理を実行する通常印刷手段と、
を備えることを特徴とする請求項１に記載の画像形成装置。
【請求項４】
前記認証手段により認証された場合であって、前記トレイロック手段により給紙対象外とされている前記給紙トレイが存在しない場合には、前記ＭＩＣＲ用の印刷ジョブを記憶部に一時的に蓄積しておく処理を実行する第１蓄積手段を備える、
ことを特徴とする請求項１に記載の画像形成装置。
【請求項５】
前記ＭＩＣＲ印刷手段は、前記トレイロック手段により前記給紙トレイが給紙対象外とされたことを条件として、前記第１蓄積手段により前記記憶部に蓄積した前記ＭＩＣＲ用の印刷ジョブを読み出し、給紙対象外とされている前記給紙トレイから給紙して前記ＭＩＣＲ用の印刷ジョブに従って画像形成処理を実行する、
ことを特徴とする請求項４に記載の画像形成装置。
【請求項６】
前記認証手段により認証された場合であって、前記トレイロック手段により給紙対象外とされている前記給紙トレイが存在しない場合には、前記ＭＩＣＲ用の印刷ジョブをリセットする処理を実行する第１リセット手段を備える、
ことを特徴とする請求項１に記載の画像形成装置。
【請求項７】
前記印刷ジョブ判断手段により前記印刷ジョブの種類が、認証情報が付加されていない通常の印刷ジョブであると判断された場合であって、前記トレイロック手段により給紙対象外とされている前記給紙トレイのみが存在する場合には、前記通常の印刷ジョブを記憶部に一時的に蓄積しておく処理を実行する第２蓄積手段を備える、
ことを特徴とする請求項１に記載の画像形成装置。
【請求項８】
前記印刷ジョブ判断手段により前記印刷ジョブの種類が、認証情報が付加されていない通常の印刷ジョブであると判断された場合であって、前記トレイロック手段により給紙対象外とされている前記給紙トレイのみが存在する場合には、前記通常の印刷ジョブをリセットする処理を実行する第２リセット手段を備える、
ことを特徴とする請求項１に記載の画像形成装置。
【請求項９】
前記認証手段により認証されなかった場合であって、前記ＭＩＣＲ用の印刷ジョブ中に前記給紙トレイの指定がなく、前記トレイロック手段により給紙対象外とされている前記給紙トレイのみが存在する場合には、前記ＭＩＣＲ用の印刷ジョブを記憶部に一時的に蓄積しておく処理を実行する第３蓄積手段を備える、
ことを特徴とする請求項１に記載の画像形成装置。
【請求項１０】
前記認証手段により認証されなかった場合であって、前記ＭＩＣＲ用の印刷ジョブ中に前記給紙トレイの指定がなく、前記トレイロック手段により給紙対象外とされている前記給紙トレイのみが存在する場合には、前記ＭＩＣＲ用の印刷ジョブをリセットする処理を実行する第３リセット手段を備える、
ことを特徴とする請求項１に記載の画像形成装置。
【請求項１１】
コンピュータを、
外部装置から受信した印刷ジョブの種類を判断する印刷ジョブ判断手段と、
画像形成に用いるカートリッジを着脱自在に保持する本体内に保持された前記カートリッジの種類を判断するカートリッジ判断手段と、
前記カートリッジ判断手段により前記カートリッジの種類がＭＩＣＲ（Magnetic  Ink  Character  Recognition）に用いられるＭＩＣＲカートリッジであると判断された場合であって、前記印刷ジョブ判断手段により前記印刷ジョブの種類が、認証情報が付加されたＭＩＣＲ用の印刷ジョブであると判断された場合に、前記認証情報を用いてパスワード認証を行う認証手段と、
記録紙を給紙する給紙トレイを自動的に選択する自動用紙選択時に、給紙対象外とする前記給紙トレイを設定するトレイロック手段と、
前記認証手段により認証された場合に、前記トレイロック手段により給紙対象外とされている前記給紙トレイから給紙して前記ＭＩＣＲ用の印刷ジョブに従って画像形成処理を実行するＭＩＣＲ印刷手段と、
前記認証手段により認証された場合であって、前記ＭＩＣＲ用の印刷ジョブ中に前記給紙トレイの指定がない場合には、給紙対象外とされている前記給紙トレイを検索する第２検索手段と、
として機能させ、
前記ＭＩＣＲ印刷手段は、前記第２検索手段により検索された給紙対象外とされている前記給紙トレイから給紙して前記ＭＩＣＲ用の印刷ジョブに従って画像形成処理を実行する、
ことを特徴とするプログラム。
【請求項１２】
印刷ジョブ判断手段が、外部装置から受信した印刷ジョブの種類を判断するステップと、
カートリッジ判断手段が、画像形成に用いるカートリッジを着脱自在に保持する本体内に保持された前記カートリッジの種類を判断するステップと、
認証手段が、前記カートリッジ判断手段により前記カートリッジの種類がＭＩＣＲ（Magnetic  Ink  Character  Recognition）に用いられるＭＩＣＲカートリッジであると判断された場合であって、前記印刷ジョブ判断手段により前記印刷ジョブの種類が、認証情報が付加されたＭＩＣＲ用の印刷ジョブであると判断された場合に、前記認証情報を用いてパスワード認証を行うステップと、
トレイロック手段が、記録紙を給紙する給紙トレイを自動的に選択する自動用紙選択時に、給紙対象外とする前記給紙トレイを設定するステップと、
ＭＩＣＲ印刷手段が、前記認証手段により認証された場合に、前記トレイロック手段により給紙対象外とされている前記給紙トレイから給紙して前記ＭＩＣＲ用の印刷ジョブに従って画像形成処理を実行するステップと、
第２検索手段が、前記認証手段により認証された場合であって、前記ＭＩＣＲ用の印刷ジョブ中に前記給紙トレイの指定がない場合には、給紙対象外とされている前記給紙トレイを検索するステップと、
を含み、
前記ＭＩＣＲ印刷手段は、前記第２検索手段により検索された給紙対象外とされている前記給紙トレイから給紙して前記ＭＩＣＲ用の印刷ジョブに従って画像形成処理を実行する、
ことを特徴とする画像形成方法。
【発明の詳細な説明】
【技術分野】
【０００１】
本発明は、磁性部材を使用してＭＩＣＲ（Magnetic Ink Character Recognition）フォントと呼ばれる特殊な形状をした書体を小切手、手形等に印刷可能な画像形成装置、プログラムおよび画像形成方法に関する。
【背景技術】
【０００２】
磁性インクや磁性トナーを使用してＭＩＣＲ（Magnetic Ink Character Recognition）フォントと呼ばれる特殊な形状をした書体を小切手等に印刷し、それをＭＩＣＲリーダソータと呼ばれる装置により読み取り仕分け等の処理を行うシステムがある。このようなシステムは、欧米では広く普及している。
【０００３】
特許文献１や特許文献２には、画像形成装置本体と画像形成装置本体に着脱自在なプロセスカートリッジを備えた画像形成装置において、プロセスカートリッジを交換することによりＭＩＣＲプリンタまたは通常プリンタとして使用できる画像形成装置が開示されている。
【０００４】
【特許文献１】特開平１０−１６１５０８号公報
【特許文献２】特開平１０−１５１８３２号公報
【発明の開示】
【発明が解決しようとする課題】
【０００５】
ところが、特許文献１や特許文献２に記載の画像形成装置によれば、ＭＩＣＲの印刷をする際に使う用紙は小切手や手形といった特殊紙（ＭＩＣＲ印刷の専用の用紙）となるため、ユーザは特殊紙（ＭＩＣＲ印刷の専用の用紙）が格納されている給紙トレイを覚えておき、印刷の際に明示的に特殊紙（ＭＩＣＲ印刷の専用の用紙）が格納されている給紙トレイを指定する必要がある。
【０００６】
本発明は、上記に鑑みてなされたものであって、ユーザが明示的に特殊紙（ＭＩＣＲ印刷の専用の用紙）が格納されているＭＩＣＲ用の給紙トレイを指定しなくても、ＭＩＣＲ用の給紙トレイを特定することができる画像形成装置、プログラムおよび画像形成方法を提供することを目的とする。
【課題を解決するための手段】
【０００７】
上述した課題を解決し、目的を達成するために、請求項１にかかる発明の画像形成装置は、外部装置から受信した印刷ジョブの種類を判断する印刷ジョブ判断手段と、画像形成に用いるカートリッジを着脱自在に保持する本体と、前記本体内に保持された前記カートリッジの種類を判断するカートリッジ判断手段と、前記カートリッジ判断手段により前記カートリッジの種類がＭＩＣＲ（Magnetic Ink Character Recognition）に用いられるＭＩＣＲカートリッジであると判断された場合であって、前記印刷ジョブ判断手段により前記印刷ジョブの種類が、認証情報が付加されたＭＩＣＲ用の印刷ジョブであると判断された場合に、前記認証情報を用いてパスワード認証を行う認証手段と、記録紙を給紙する給紙トレイを自動的に選択する自動用紙選択時に、給紙対象外とする前記給紙トレイを設定するトレイロック手段と、前記認証手段により認証された場合に、前記トレイロック手段により給紙対象外とされている前記給紙トレイから給紙して前記ＭＩＣＲ用の印刷ジョブに従って画像形成処理を実行するＭＩＣＲ印刷手段と、前記認証手段により認証された場合であって、前記ＭＩＣＲ用の印刷ジョブ中に前記給紙トレイの指定がない場合には、給紙対象外とされている前記給紙トレイを検索する第２検索手段と、を備え、前記ＭＩＣＲ印刷手段は、前記第２検索手段により検索された給紙対象外とされている前記給紙トレイから給紙して前記ＭＩＣＲ用の印刷ジョブに従って画像形成処理を実行することを特徴とする。
【０００８】
また、請求項２にかかる発明は、請求項１に記載の画像形成装置において、前記認証手段により認証された場合であって、前記ＭＩＣＲ用の印刷ジョブ中に前記給紙トレイの指定があった場合に、指定された前記給紙トレイが前記トレイロック手段により給紙対象外とされていない場合には、給紙対象外とされている前記給紙トレイを検索する第１検索手段を備え、前記ＭＩＣＲ印刷手段は、前記第１検索手段により検索された給紙対象外とされている前記給紙トレイから給紙して前記ＭＩＣＲ用の印刷ジョブに従って画像形成処理を実行する、ことを特徴とする。
【００１０】
また、請求項３にかかる発明は、請求項１に記載の画像形成装置において、前記認証手段により認証されなかった場合であり、前記ＭＩＣＲ用の印刷ジョブ中に前記給紙トレイの指定がある場合であり、指定された前記給紙トレイが前記トレイロック手段により給紙対象外とされている場合には、前記給紙トレイの指定を解除して、給紙対象外とされていない前記給紙トレイを検索する第３検索手段と、前記第３検索手段により検索された給紙対象外とされていない前記給紙トレイから給紙して前記ＭＩＣＲ用の印刷ジョブに従って画像形成処理を実行する通常印刷手段と、を備えることを特徴とする。
【００１１】
また、請求項４にかかる発明は、請求項１に記載の画像形成装置において、前記認証手段により認証された場合であって、前記トレイロック手段により給紙対象外とされている前記給紙トレイが存在しない場合には、前記ＭＩＣＲ用の印刷ジョブを記憶部に一時的に蓄積しておく処理を実行する第１蓄積手段を備える、ことを特徴とする。
【００１２】
また、請求項５にかかる発明は、請求項４に記載の画像形成装置において、前記ＭＩＣＲ印刷手段は、前記トレイロック手段により前記給紙トレイが給紙対象外とされたことを条件として、前記第１蓄積手段により前記記憶部に蓄積した前記ＭＩＣＲ用の印刷ジョブを読み出し、給紙対象外とされている前記給紙トレイから給紙して前記ＭＩＣＲ用の印刷ジョブに従って画像形成処理を実行する、ことを特徴とする。
【００１３】
また、請求項６にかかる発明は、請求項１に記載の画像形成装置において、前記認証手段により認証された場合であって、前記トレイロック手段により給紙対象外とされている前記給紙トレイが存在しない場合には、前記ＭＩＣＲ用の印刷ジョブをリセットする処理を実行する第１リセット手段を備える、ことを特徴とする。
【００１４】
また、請求項７にかかる発明は、請求項１に記載の画像形成装置において、前記印刷ジョブ判断手段により前記印刷ジョブの種類が、認証情報が付加されていない通常の印刷ジョブであると判断された場合であって、前記トレイロック手段により給紙対象外とされている前記給紙トレイのみが存在する場合には、前記通常の印刷ジョブを記憶部に一時的に蓄積しておく処理を実行する第２蓄積手段を備える、ことを特徴とする。
【００１５】
また、請求項８にかかる発明は、請求項１に記載の画像形成装置において、前記印刷ジョブ判断手段により前記印刷ジョブの種類が、認証情報が付加されていない通常の印刷ジョブであると判断された場合であって、前記トレイロック手段により給紙対象外とされている前記給紙トレイのみが存在する場合には、前記通常の印刷ジョブをリセットする処理を実行する第２リセット手段を備える、ことを特徴とする。
【００１６】
また、請求項９にかかる発明は、請求項１に記載の画像形成装置において、前記認証手段により認証されなかった場合であって、前記ＭＩＣＲ用の印刷ジョブ中に前記給紙トレイの指定がなく、前記トレイロック手段により給紙対象外とされている前記給紙トレイのみが存在する場合には、前記ＭＩＣＲ用の印刷ジョブを記憶部に一時的に蓄積しておく処理を実行する第３蓄積手段を備える、ことを特徴とする。
【００１７】
また、請求項１０にかかる発明は、請求項１に記載の画像形成装置において、前記認証手段により認証されなかった場合であって、前記ＭＩＣＲ用の印刷ジョブ中に前記給紙トレイの指定がなく、前記トレイロック手段により給紙対象外とされている前記給紙トレイのみが存在する場合には、前記ＭＩＣＲ用の印刷ジョブをリセットする処理を実行する第３リセット手段を備える、ことを特徴とする。
【００１８】
また、請求項１１にかかる発明のプログラムは、コンピュータを、外部装置から受信した印刷ジョブの種類を判断する印刷ジョブ判断手段と、画像形成に用いるカートリッジを着脱自在に保持する本体内に保持された前記カートリッジの種類を判断するカートリッジ判断手段と、前記カートリッジ判断手段により前記カートリッジの種類がＭＩＣＲ（Magnetic  Ink  Character  Recognition）に用いられるＭＩＣＲカートリッジであると判断された場合であって、前記印刷ジョブ判断手段により前記印刷ジョブの種類が、認証情報が付加されたＭＩＣＲ用の印刷ジョブであると判断された場合に、前記認証情報を用いてパスワード認証を行う認証手段と、記録紙を給紙する給紙トレイを自動的に選択する自動用紙選択時に、給紙対象外とする前記給紙トレイを設定するトレイロック手段と、前記認証手段により認証された場合に、前記トレイロック手段により給紙対象外とされている前記給紙トレイから給紙して前記ＭＩＣＲ用の印刷ジョブに従って画像形成処理を実行するＭＩＣＲ印刷手段と、前記認証手段により認証された場合であって、前記ＭＩＣＲ用の印刷ジョブ中に前記給紙トレイの指定がない場合には、給紙対象外とされている前記給紙トレイを検索する第２検索手段と、として機能させ、前記ＭＩＣＲ印刷手段は、前記第２検索手段により検索された給紙対象外とされている前記給紙トレイから給紙して前記ＭＩＣＲ用の印刷ジョブに従って画像形成処理を実行することを特徴とする。
【００１９】
また、請求項１２にかかる発明の画像形成方法は、印刷ジョブ判断手段が、外部装置から受信した印刷ジョブの種類を判断するステップと、カートリッジ判断手段が、画像形成に用いるカートリッジを着脱自在に保持する本体内に保持された前記カートリッジの種類を判断するステップと、認証手段が、前記カートリッジ判断手段により前記カートリッジの種類がＭＩＣＲ（Magnetic  Ink  Character  Recognition）に用いられるＭＩＣＲカートリッジであると判断された場合であって、前記印刷ジョブ判断手段により前記印刷ジョブの種類が、認証情報が付加されたＭＩＣＲ用の印刷ジョブであると判断された場合に、前記認証情報を用いてパスワード認証を行うステップと、トレイロック手段が、記録紙を給紙する給紙トレイを自動的に選択する自動用紙選択時に、給紙対象外とする前記給紙トレイを設定するステップと、ＭＩＣＲ印刷手段が、前記認証手段により認証された場合に、前記トレイロック手段により給紙対象外とされている前記給紙トレイから給紙して前記ＭＩＣＲ用の印刷ジョブに従って画像形成処理を実行するステップと、第２検索手段が、前記認証手段により認証された場合であって、前記ＭＩＣＲ用の印刷ジョブ中に前記給紙トレイの指定がない場合には、給紙対象外とされている前記給紙トレイを検索するステップと、を含み、前記ＭＩＣＲ印刷手段は、前記第２検索手段により検索された給紙対象外とされている前記給紙トレイから給紙して前記ＭＩＣＲ用の印刷ジョブに従って画像形成処理を実行することを特徴とする。
【発明の効果】
【００２０】
本発明によれば、カートリッジの種類がＭＩＣＲに用いられるＭＩＣＲカートリッジであると判断された場合であって、印刷ジョブの種類が、認証情報が付加されたＭＩＣＲ用の印刷ジョブであると判断された場合に、認証情報を用いてパスワード認証を行う。そして、認証された場合に、自動用紙選択時に給紙対象外とされている給紙トレイから給紙してＭＩＣＲ用の印刷ジョブに従って画像形成処理を実行することにより、ユーザからのＭＩＣＲ用の給紙トレイの指定がなくても、既存のトレイロック機能を応用することで自動用紙選択時に給紙対象外とされている給紙トレイを特殊紙（ＭＩＣＲ印刷の専用の用紙）が格納されている給紙トレイと判断するので、あらかじめトレイロック機能を設定した給紙トレイに特殊紙（ＭＩＣＲ印刷の専用の用紙）を格納しておけば、ユーザが明示的に特殊紙（ＭＩＣＲ印刷の専用の用紙）が格納されているＭＩＣＲ用の給紙トレイを指定しなくても、ＭＩＣＲ用の給紙トレイを特定することができる、という効果を奏する。
【発明を実施するための最良の形態】
【００２１】
以下に添付図面を参照して、この発明にかかる画像形成装置、プログラムおよび画像形成方法の最良な実施の形態を詳細に説明する。
【００２２】
本発明の実施の一形態を図１ないし図１１に基づいて説明する。本実施の形態は画像形成装置としてレーザプリンタを適用した例である。
【００２３】
図１は、本発明の実施の一形態にかかるレーザプリンタ１００の内部構造を示す中央部断面図である。図１に示すように、レーザプリンタ１００は、その本体１内に、プロセスカートリッジ２を着脱自在に保持している。プロセスカートリッジ２は、感光体１１、帯電ローラ１２、クリーニング部１３ａを有する廃トナー回収部１３、トナー収納部１４ａを有する現像部１４等が一体（オールインワン）で構成され、これらの構成部で電子写真プロセスの処理を行う。
【００２４】
また、レーザプリンタ１００は、その本体１内に、さらに感光体１１に光ビームにより書込みを行う光書込みユニット３を備えている。この光書込みユニット３は、ポリゴンモータ、ポリゴンミラー、Ｆθレンズ、レーザダイオード、ミラー（いずれも不図示）等で構成される。その他、レーザプリンタ１００は、その本体１内に、複数の給紙トレイ４、ピックアップローラ６、転写ローラ７、定着ローラ８等を備えているが、これらについては以下のレーザプリンタ１００の動作説明中で述べる。
【００２５】
図２は、レーザプリンタ１００のコントローラ１０１の構成の一例を示すブロック図である。図２に示すように、レーザプリンタ１００は、このレーザプリンタ１００の各部の制御処理および画像形成処理などの各種制御処理を行うコントローラ１０１を備えている。このプリンタコントローラ６１には、オペレーションパネル１２０、プロセスカートリッジ２を含むプリンタエンジン１３０が接続されている。オペレーションパネル１２０は、表示された項目に対する操作を受け付ける操作表示部であって、レーザプリンタ１００のステータス表示およびモード、印刷条件を変更することができるユーザインタフェースを有している。プリンタエンジン１３０は、上述したようなプロセスカートリッジ２、光書込みユニット３、転写ローラ７、定着ローラ８等を含んで、電子写真プロセス方式により画像を形成して給紙トレイ４から給紙される記録紙５に記録出力するためのものである。なお、詳細は後述するが、ＭＩＣＲの印刷は主に小切手や手形等を印刷することが目的であるため、ＭＩＣＲ印刷の場合には、給紙トレイ４から給紙される記録紙５は専用の用紙である。
【００２６】
コントローラ１０１は、印刷データを描画データに変換してプリンタエンジン１３０へ出力する制御機構の総称で次のようなモジュールで構成される。コントローラ１０１には、このレーザプリンタ１００の動作制御を行うＣＰＵ（Central Processing Unit）１０２が備えられている。このＣＰＵ１０２には、ＣＰＵ１０２が実行するプログラムや必要なデータ等を記憶するためのＲＯＭ（Read Only Memory）１０３と、ＣＰＵ１０２のワークエリア等を構成するためのＲＡＭ（Random Access Memory）１０４とが内部バス１０５を介して接続されている。また、ＲＡＭ１０４は、印刷デ−タをページ単位に管理して一時記憶するバッファ、バッファに記憶された印刷データを実際の印刷描画イメージに変換し、ビデオデータを記憶するビットマップメモリ等に使われる。
【００２７】
さらに、ＣＰＵ１０２には、通信制御部１０６、ＨＤＤ（Hard Disk Drive）１０７、エンジン制御部１０８、ＮＶ−ＲＡＭ１０９、媒体制御部１１０およびＵＩ制御部１１１が、内部バス１０５を介して接続されており、これらの各要素間のデータのやりとりは、主としてこの内部バス１０５を介して行われる。
【００２８】
ＮＶ−ＲＡＭ１０９は、電源のＯＮ／ＯＦＦに関わらず、ＣＰＵ１０２による制御に用いる情報を記憶する不揮発性メモリである。
【００２９】
ＵＩ制御部１１１は、オペレーションパネル１２０を接続して、オペレーションパネル１２０に表示されるユーザインタフェースとデータをやり取りする。
【００３０】
通信制御部１０６は、このレーザプリンタ１００をＬＡＮ（Local Area Network）ケーブルやＵＳＢ（Universal Serial Bus）ケーブル等に接続するために組み込まれたインタフェース・カードである。例えば、通信制御部１０６は、ＬＡＮケーブルを介して外部装置であるＰＣ（Personal Computer）２００を接続し、ＰＣ２００から印刷データ等を受信したり、ＰＣ２００へ印刷結果情報等を送信したりする等の動作を行う。
【００３１】
ＨＤＤ２９は、種々の印刷文書情報を格納したり、それ以外の適宜な情報ファイル等を保存したりするためのものである。加えて、ＨＤＤ２９には、ＯＳ（Operating System）、ＯＳ上で走る種々のアプリケーションプログラムが記憶されている。本実施の形態においては、アプリケーションプログラムとして、印刷処理プログラムなどが記憶されている。
【００３２】
エンジン制御部１０８は、ＣＰＵ１０２からプリンタエンジン１３０への制御信号を送信し、プリンタエンジン１３０からＣＰＵ１０２へのエンジンステータス信号を受信するインタフェースである。
【００３３】
媒体制御部１１０は、着脱可能な外部記録メディア（例えば、ＳＤカードなど）である不揮発性の記憶媒体３００へのインタフェースまたは挿入スロットを示す。このスロットに記憶媒体３００を挿入した際、電圧の変化等で、記憶媒体３００が挿入されているかどうかを認識できる（活線挿抜）。
【００３４】
このような構成のレーザプリンタ１００は、ユーザが電源を投入するとＨＤＤ２９よりＯＳをＲＡＭ１０４に読み込み、このＯＳを起動させる。このようにして起動したＯＳは、ユーザの操作に応じてアプリケーションプログラムを起動したり、情報を読み込んだり、保存を行ったりする。また、アプリケーションプログラムは、所定のＯＳ上で動作するものに限らず、後述の各種処理の一部の実行をＯＳに肩代わりさせるものであってもよいし、所定のアプリケーションプログラムやＯＳなどを構成する一群のプログラムファイルの一部として含まれているものであってもよい。
【００３５】
なお、一般的には、レーザプリンタ１００のＨＤＤ２９にインストールされるアプリケーションプログラムは、記憶媒体３００に記録され、この記憶媒体３００に記録されたアプリケーションプログラムがＨＤＤ２９にインストールされる。このため、記憶媒体３００も、アプリケーションプログラムを記憶する記憶媒体となり得る。さらには、アプリケーションプログラムは、例えばネットワークを介して外部から取り込まれ、ＨＤＤ２９にインストールされても良い。
【００３６】
なお、本実施の形態のレーザプリンタ１００は、ＨＤＤ２９を備えるものとしたが、これに限るものではなく、半導体メモリ等のコンピュータで読み取り可能な記録媒体にアプリケーションプログラムやＯＳなどを格納するようにしても良い。
【００３７】
このような構成により、レーザプリンタ１００のコントローラ１０１は、印刷処理プログラムに従い、通信制御部１０６を介してＰＣ２００からのプリント命令を受信すると、エンジン制御部１０８を介してプリンタエンジン１３０にプリント開始命令を出力する。このような動作を繰り返すことにより、実際にＰＣ２００からの印刷データがプリンタエンジン１３０を通して印字されることになる。
【００３８】
プリンタエンジン１３０における印刷動作を記録紙５の流れに沿って説明する。まず、給紙トレイ４に収納された記録紙５は、ピックアップローラ６により１枚ずつピックアップされ、感光体１１に向けて搬送される。感光体１１は時計方向に回動駆動され、そのとき帯電ローラ１２により表面が帯電され、書込みユニット３からレーザ光が照射されることにより入力画像の静電潜像が形成される。この静電潜像は、感光体１１が回動し現像部１４を通るとき、トナーにより可視像化される。感光体１１上の可視像は転写ローラ７により、感光体１１部分に搬送されてきた記録紙５に転写される。その後、定着ローラ８に搬送され、記録紙５上の可視像は熱圧着により定着され、レーザプリンタ１００の外部に排紙される。
【００３９】
ところで、図３に示すように、プロセスカートリッジ２には、ＩＣチップ３０（図３参照）を有するコネクタ２１が設けられている。プロセスカートリッジ２をレーザプリンタ１００の本体１内に装着すると、コネクタ２１はプリンタ側コネクタ（不図示）と連結し、ＩＣチップ３０をレーザプリンタ１００のコントローラ１０１に接続する。これにより、レーザプリンタ１００のコントローラ１０１は、プロセスカートリッジ２のＩＣチップ３０に記憶されている各種データをやり取りし画像形成制御を行う。
【００４０】
図４は、コネクタ２１に搭載されているＩＣチップ３０のハードウェア構成を示すブロック図である。図４に示すように、ＩＣチップ３０は、基板上に、制御の主体となるＣＰＵ３１、レーザプリンタ１００との通信を行うインタフェースでＩＳＯ７８１６に準拠するＩ／Ｏポート３２、ＩＣチップ３０の内部を制御するシステム制御回路３３、ＩＣチップ３０の処理プログラムを記憶する装置であるＲＯＭ３４、処理プログラムを実行するためのワーキングメモリであるＲＡＭ３５、プロセスカートリッジ２の制御に必要なカートリッジ情報を記憶する不揮発性メモリであるＥＥＰＲＯＭ３６、このＥＥＥＰＲＯＭ３６へ書込む専用命令を記憶する不揮発性メモリであるＥ−ＥＥＰＲＯＭ３７を備え、これらの構成部品は信号線３８により接続される。プロセスカートリッジ２がレーザプリンタ１００の本体１内に装着され、電源がオンされると、Ｉ／Ｏポート３２のポートを介してレーザプリンタ１００側からバイアス電源等３９が供給されＩＣチップ３０が稼動する。
【００４１】
ＥＥＰＲＯＭ３６に記憶されるプロセスカートリッジ２の制御に必要なカートリッジ情報としては、例えば識別番号、露光量、帯電量、現像バイアス等の作像条件、カートリッジロット、製造年月日、種類、使用開始年月日、コピー枚数、リサイクル回数、リサイクルの上限回数、プロセスカートリッジ構成部品の交換時期、トナーロット、充填量、保存期間等が挙げられる。
【００４２】
ここで、ＥＥＰＲＯＭ３６に記憶されるプロセスカートリッジ２の制御に必要な情報の１つである種類について説明する。本実施の形態におけるプロセスカートリッジ２の種類は、「通常カートリッジ」または「ＭＩＣＲカートリッジ」である。これらの違いは、トナー収納部１４ａ内に収容されているトナーの違いである。ＭＩＣＲとは、Magnetic Ink Character Recognitionの略であり、磁性トナーを使用してＭＩＣＲフォントと呼ばれる特殊な形状をした書体を小切手等に印刷し、小切手に印字されているＭＩＣＲ文字をＭＩＣＲリーダソータと呼ばれる装置により読み取り、仕分け等の処理を行う仕組みを言う。すなわち、「ＭＩＣＲカートリッジ」であるプロセスカートリッジ２のトナー収納部１４ａ内には、磁性トナーが収容されている。一方、「通常カートリッジ」であるプロセスカートリッジ２のトナー収納部１４ａ内には、一般的なトナーが収容されている。
【００４３】
次に、本実施の形態のレーザプリンタ１００のＣＰＵ１０２が印刷処理プログラムに従って動作することにより発揮する特徴的な機能について説明する。
【００４４】
図５は、レーザプリンタ１００のコントローラ１０１の画像形成処理にかかる機能構成を概略的に示す模式図である。図５に示すように、レーザプリンタ１００のコントローラ１０１は、ＣＰＵ１０２が印刷処理プログラムに従って動作することにより、カートリッジ判断手段として機能するカートリッジ判断部５１と、判断部５２と、印刷ジョブ受信部５３と、印刷ジョブ判断手段および認証手段として機能する印刷ジョブ判断部５４と、ジョブ印刷部５５と、ＵＩ（User Interface）部５６と、トレイロック手段として機能するトレイロック部６０とを備える。
【００４５】
トレイロック部６０は、自動用紙選択時やリミットレス給紙時において、ある特定の給紙トレイ４からは給紙しないようにトレイロックを掛けることができるようにするトレイロック機能を発揮するものである。なお、リミットレス給紙機能は、画像形成処理の実行中に選択された給紙トレイ４内の記録紙５が無くなった場合に、記録紙５が無くなった給紙トレイ４以外の給紙トレイ４に自動的に切り替えて給紙する機能である。
【００４６】
より具体的には、レーザプリンタ１００は、オペレーションパネル１２０上でのキー操作によって、全ての給紙トレイ４に対する記録紙５の紙種の設定が可能となっており、給紙トレイ４の紙種の選択肢は普通紙、特殊紙（ＭＩＣＲ印刷の専用の用紙）の２種の紙種となっている。この設定を複数の給紙トレイ４のそれぞれの紙種設定値に設定しておくことによって、自動用紙選択時のトレイ検索の対象、リミットレス給紙の時のトレイ検索の対象を決定付けることができる。すなわち、トレイロック部６０は、自動用紙選択時やリミットレス給紙時において、各々の給紙トレイ４についてトレイロックを掛けるかどうか設定でき、トレイロックを掛けた給紙トレイ４は自動用紙選択時のトレイ検索の対象、リミットレス給紙の時のトレイ検索の対象に含めないというものである。このようにトレイロック指定できる給紙トレイ４は、レーザプリンタ１００の全ての給紙トレイ４が対象となっている。トレイロックを掛けた給紙トレイ４が複数ある場合は、自動トレイ選択の際の検索条件と同じ動作とする。優先する給紙トレイ４を最初の検索対象とし、それ以後は、記録紙５の搬送経路が短い順に検索するのが基本となる。トレイロック部６０は、トレイロックが掛けられている給紙トレイ４を判断部５２に出力する。
【００４７】
なお、各々の給紙トレイ４についてトレイロックを掛けるかどうか設定については、本実施の形態では、オペレーションパネル１２０上でのキー操作によって設定が可能であるとしたが、これに限るものではなく、ＰＣ２００のＷｅｂブラウザ上における操作によって設定するようにしてもよい。
【００４８】
本実施の形態においては、図６に示すように、特殊紙（ＭＩＣＲ印刷の専用の用紙）が紙種として設定されている給紙トレイ４に対してトレイロックが掛けられているものとする。
【００４９】
カートリッジ判断部５１は、レーザプリンタ１００の本体１内に装着されたプロセスカートリッジ２のＩＣチップ３０から、装着されたプロセスカートリッジ２の種類（「通常カートリッジ」または「ＭＩＣＲカートリッジ」）を含むカートリッジ情報を取得して、装着されたプロセスカートリッジ２の種類が「通常カートリッジ」なのか、または「ＭＩＣＲカートリッジ」なのかを判断する。なお、プロセスカートリッジ２の識別結果はＮＶ−ＲＡＭ１０９に記録され、「通常カートリッジ」または「ＭＩＣＲカートリッジ」の装着状態をオペレーションパネル１２０に表示されるユーザインタフェースにおいて確認することができる。カートリッジ判断部５１は、判断したカートリッジ種類を判断部５２に出力する。
【００５０】
印刷ジョブ受信部５３は、ＰＣ２００から印刷ジョブを受信すると、受信した印刷ジョブを印刷ジョブ判断部５４に出力する。
【００５１】
印刷ジョブ判断部５４は、印刷ジョブ受信部５３から受け取った印刷ジョブの種類を判断する。なお、ＭＩＣＲ用の印刷ジョブには、ＰＣ２００側でＭＩＣＲ用の印刷ジョブであることを示すＭＩＣＲ情報を予め付加するようにする。小切手や手形などを扱う専用のＰＣ２００であれば、常にＭＩＣＲ情報を付加するようにすればよいが、そうでない場合にはユーザが明示的にＭＩＣＲであることを指定する。例えば、ドライバを使う場合であれば、ドライバの画面上にＭＩＣＲ印刷かどうかのチェックボックスがあり、チェックボックスにチェックを入れるといった構成が考えられる。ＭＩＣＲ情報は、例えば印刷データの所定の位置（例えば先頭）に付加される認証情報であるＭＩＣＲ用のパスワードとする。ＭＩＣＲ用のパスワードは、例えば「ＭＩＣＲＰＷ＝＊＊＊＊」など所定の文字列を必ず含めるようにするといった構成が考えられる。ＭＩＣＲ用のパスワードはあらかじめレーザプリンタ１００毎に決められており、レーザプリンタ１００のパスワードと印刷ジョブに付加されているＭＩＣＲ用のパスワードとを照合することで、認証を行なう。なお、ＭＩＣＲ用のパスワードは、レーザプリンタ１００のオペレーションパネル１２０やＷｅｂブラウザからレーザプリンタ１００にアクセスして変更可能としてもよい。
【００５２】
また、印刷ジョブ判断部５４は、印刷ジョブ受信部５３から受け取った印刷ジョブおよび判断した印刷ジョブの種類を、判断部５２に出力する。
【００５３】
判断部５２は、印刷ジョブ判断部５４から取得した印刷ジョブの種類と、印刷ジョブの種類がＭＩＣＲ用の印刷ジョブである場合におけるパスワード認証結果と、カートリッジ判断部５１から取得したカートリッジ種類と、トレイロック機能の実行の有無とに応じて、印刷処理の可能／不可能を判断する。判断部５２は、印刷可能であると判断した場合には、印刷可能であると判断された印刷ジョブをジョブ印刷部５５に出力する。印刷ジョブを受け取ったジョブ印刷部５５は、エンジン制御部１０８を介してプリンタエンジン１３０にプリント開始命令を出力する。
【００５４】
一方、判断部５２は、印刷不可能であると判断した場合には、ＵＩ部５６に対して警告や確認、注意を促すメッセージなどを表示する警告・確認画面であるアラート画面の表示を指示し、ＵＩ部５６は、アラート画面を介して受け付けた応答を、判断部５２に出力する。そして、判断部５２は、アラート画面を介して受け付けた応答に応じた処理を実行する。
【００５５】
図７は、上述した印刷処理の流れを概略的に示すフローチャートである。図７に示すように、ＰＣ２００から印刷ジョブを受信すると（ステップＳ１）、レーザプリンタ１００の本体１内に装着されたプロセスカートリッジ２のＩＣチップ３０から、装着されたプロセスカートリッジ２の種類（「通常カートリッジ」または「ＭＩＣＲカートリッジ」）を含むカートリッジ情報を取得して、装着されたプロセスカートリッジ２の種類が「ＭＩＣＲカートリッジ」であるとカートリッジ判断部５１により判断するとともに（ステップＳ２のＹｅｓ）、印刷ジョブの種類がＭＩＣＲ用の印刷ジョブであると印刷ジョブ判断部５４により判断した場合には（ステップＳ３のＹｅｓ）、ステップＳ４に進む。
【００５６】
ステップＳ４では、ＭＩＣＲ用の印刷ジョブに付加されているＭＩＣＲ用のパスワードの認証を行う。ＭＩＣＲ用の印刷ジョブに付加されているＭＩＣＲ用のパスワードが当該レーザプリンタ１００に決められているパスワードであるとの認証が通った場合には（ステップＳ４のＹｅｓ）、ステップＳ５に進み、認証済みのＭＣＲジョブに対する印刷処理を実行する。
【００５７】
一方、装着されたプロセスカートリッジ２の種類が「通常カートリッジ」であるとカートリッジ判断部５１により判断した場合（ステップＳ２のＮｏ）、または、印刷ジョブの種類が通常の印刷ジョブであると印刷ジョブ判断部５４により判断した場合には（ステップＳ３のＮｏ）、ステップＳ６に進み、認証なしのジョブ（通常ジョブ）に対する印刷処理を実行する。
【００５８】
また、ＭＩＣＲ用の印刷ジョブに付加されているＭＩＣＲ用のパスワードが当該レーザプリンタ１００に決められているパスワードであるとの認証が通らなかった場合にも（ステップＳ４のＮｏ）、ステップＳ６に進み、認証なしのジョブ（通常ジョブ）に対する印刷処理を実行する。
【００５９】
このように本実施の形態においては、認証の通ったＭＩＣＲ用の印刷ジョブと、認証の通らなかったＭＩＣＲ用の印刷ジョブと、ＭＩＣＲ用ではない認証情報のない通常の印刷ジョブとの３つに分類する。また、ＭＩＣＲ用のプロセスカートリッジ２が装着されていない場合には、認証情報があったとしてもＭＩＣＲ用の印刷ジョブとはみなさない。そして、詳細は後述するが、分類されたそれぞれの印刷ジョブに応じてプリンタの動作を変化させる。
【００６０】
次いで、認証済みのＭＣＲジョブに対する印刷処理について図８のフローチャートを参照して説明する。図８に示すように、まず、判断部５２は、印刷の対象となる記録紙５を給紙する給紙トレイ４が指定されており（ステップＳ１１のＹｅｓ）、指定されている給紙トレイ４にトレイロックが掛けられている場合には（ステップＳ１２のＹｅｓ）、適正に特殊紙（ＭＩＣＲ印刷の専用の用紙）を給紙する給紙トレイ４が指定されているので、そのまま認証済みのＭＣＲ用の印刷ジョブをジョブ印刷部５５に渡し、指定されている給紙トレイ４から給紙してプリンタエンジン１３０による印刷処理を実行する（ステップＳ１３）。ここに、ＭＩＣＲ印刷手段の機能が実行される。
【００６１】
一方、判断部５２は、印刷の対象となる記録紙５を給紙する給紙トレイ４が指定されていない場合（ステップＳ１１のＮｏ）、または、指定されている給紙トレイ４にトレイロックが掛けられていない場合には（ステップＳ１２のＮｏ）、トレイロックが掛けられている給紙トレイ４を検索する（ステップＳ１４：第１検索手段、第２検索手段）。トレイロックが掛けられている給紙トレイ４が有る場合には（ステップＳ１５のＹｅｓ）、トレイロックが掛けられている給紙トレイ４を指定して認証済みのＭＣＲ用の印刷ジョブをジョブ印刷部５５に渡し、指定されている給紙トレイ４から給紙してプリンタエンジン１３０による印刷処理を実行する（ステップＳ１６）。
【００６２】
また、判断部５２は、トレイロックが掛けられている給紙トレイ４が無い場合には（ステップＳ１５のＮｏ）、オペレーションパネル１２０に表示されるユーザインタフェースに図９に示すようなアラート画面Ｘの表示をＵＩ部５６に対して指示し、アラート画面Ｘの各ボタンａ，ｂ，ｃのいずれかの選択操作に応じた処理を実行する（ステップＳ１７）。「リセット」ボタンａに対する選択操作を受け付けた場合には、印刷ジョブをリセットする処理を実行する（第１リセット手段）。「蓄積」ボタンｂに対する選択操作を受け付けた場合には、印刷ジョブをＨＤＤ２９などに一時的に蓄積しておく処理を実行する（第１蓄積手段）。この場合、給紙トレイ４にトレイロックが掛けられたことを条件として、蓄積した印刷ジョブを読み出して印刷処理を再度実行することができる。「強制印刷」ボタンｃに対する選択操作を受け付けた場合には、そのまま印刷処理を実行する。すなわち、この場合には、試し印刷などの目的で、トレイロックが掛けられていない給紙トレイ４から給紙して印刷する処理を実行する。
【００６３】
次いで、認証なしのジョブ（通常ジョブ）に対する印刷処理について図１０のフローチャートを参照して説明する。図１０に示すように、まず、判断部５２は、印刷の対象となる記録紙５を給紙する給紙トレイ４が指定されており（ステップＳ２１のＹｅｓ）、指定されている給紙トレイ４にトレイロックが掛けられていない場合には（ステップＳ２２のＮｏ）、適正に普通紙を給紙する給紙トレイ４が指定されているので、そのまま認証なしのジョブ（通常ジョブ）をジョブ印刷部５５に渡し、指定されている給紙トレイ４から給紙してプリンタエンジン１３０による印刷処理を実行する（ステップＳ２３）。
【００６４】
一方、判断部５２は、印刷の対象となる記録紙５を給紙する給紙トレイ４が指定されており（ステップＳ２１のＹｅｓ）、指定されている給紙トレイ４にトレイロックが掛けられている場合には（ステップＳ２２のＹｅｓ）、適正でない給紙トレイ４が指定されているので、給紙トレイ４の指定を解除し（ステップＳ２４）、トレイロックが掛けられていない給紙トレイ４を検索する（ステップＳ２５：第３検索手段）。なお、判断部５２は、印刷の対象となる記録紙５を給紙する給紙トレイ４が指定されていない場合にも（ステップＳ２１のＮｏ）、トレイロックが掛けられていない給紙トレイ４を検索する（ステップＳ２５）。トレイロックが掛けられていない給紙トレイ４が有る場合には（ステップＳ２６のＹｅｓ）、トレイロックが掛けられていない給紙トレイ４を指定して認証なしのジョブ（通常ジョブ）をジョブ印刷部５５に渡し、指定されている給紙トレイ４から給紙してプリンタエンジン１３０による印刷処理を実行する（ステップＳ２７）。ここに、通常印刷手段の機能が実行される。
【００６５】
また、判断部５２は、トレイロックが掛けられていない給紙トレイ４が無い場合には（ステップＳ２６のＮｏ）、オペレーションパネル１２０に表示されるユーザインタフェースに図１１に示すようなアラート画面Ｙの表示をＵＩ部５６に対して指示し、アラート画面Ｙの各ボタンｄ，ｅ，ｆのいずれかの選択操作に応じた処理を実行する（ステップＳ２８）。「リセット」ボタンｄに対する選択操作を受け付けた場合には、印刷ジョブをリセットする処理を実行する（第２リセット手段、第３リセット手段）。「蓄積」ボタンｅに対する選択操作を受け付けた場合には、印刷ジョブをＨＤＤ２９などに一時的に蓄積しておく処理を実行する（第２蓄積手段、第３蓄積手段）。この場合、給紙トレイ４についてトレイロックが解除されたことを条件として、蓄積した印刷ジョブを読み出して印刷処理を再度実行することができる。「強制印刷」ボタンｆに対する選択操作を受け付けた場合には、そのまま印刷処理を実行する。すなわち、この場合には、トレイロックが掛けられている給紙トレイ４から特殊紙（ＭＩＣＲ印刷の専用の用紙）を給紙して印刷する処理を実行する。
【００６６】
このように本実施の形態によれば、プロセスカートリッジ２の種類がＭＩＣＲに用いられるＭＩＣＲカートリッジであると判断された場合であって、印刷ジョブの種類がＭＩＣＲ用のパスワードが付加されたＭＩＣＲ用の印刷ジョブであると判断された場合に、ＭＩＣＲ用のパスワードを用いてパスワード認証を行う。そして、認証された場合に、自動用紙選択時に給紙対象外とされている給紙トレイ４から給紙してＭＩＣＲ用の印刷ジョブに従って画像形成処理を実行する。これにより、ユーザからのＭＩＣＲ用の給紙トレイ４の指定がなくても、既存のトレイロック機能を応用することで自動用紙選択時に給紙対象外とされている給紙トレイを特殊紙（ＭＩＣＲ印刷の専用の用紙）が格納されている給紙トレイ４と判断するので、あらかじめトレイロック機能を設定した給紙トレイ４に特殊紙（ＭＩＣＲ印刷の専用の用紙）を格納しておけば、ユーザが明示的に特殊紙（ＭＩＣＲ印刷の専用の用紙）が格納されているＭＩＣＲ用の給紙トレイ４を指定しなくても、ＭＩＣＲ用の給紙トレイ４を特定することができる。
【００６７】
なお、本実施の形態においては、電子写真プロセス方式により画像を形成するプロセスカートリッジ２およびプリンタエンジン１３０を備えているレーザプリンタ１００を適用したが、これに限るものではない。例えば、磁性インクを含むインクカートリッジおよび当該インクカートリッジを用いてインクジェット方式により画像を形成するプリンタエンジンを備えているプリンタなどを適用することができる。
【図面の簡単な説明】
【００６８】
【図１】本発明の実施の一形態にかかるレーザプリンタの内部構造を示す中央部断面図である。
【図２】コントローラの構成の一例を示すブロック図である。
【図３】プロセスカートリッジの外観を示す斜視図である。
【図４】ＩＣチップのハードウェア構成を示すブロック図である。
【図５】画像形成処理にかかる機能構成を概略的に示す模式図である。
【図６】給紙トレイのトレイロック設定を示す模式図である。
【図７】印刷処理の流れを概略的に示すフローチャートである。
【図８】認証済みのＭＣＲジョブに対する印刷処理の流れを概略的に示すフローチャートである。
【図９】アラート画面の一例を示す正面図である。
【図１０】認証なしのジョブ（通常ジョブ）に対する印刷処理の流れを概略的に示すフローチャートである。
【図１１】アラート画面の一例を示す正面図である。
【符号の説明】
【００６９】
１      本体
２      カートリッジ
４      給紙トレイ
５１      カートリッジ判断手段
５４      印刷ジョブ判断手段、認証手段
６０      トレイロック手段
１００      画像形成装置
２００      外部装置
【図１】
0004987742.tif 000002
【図２】
0004987742.tif 000003
【図３】
0004987742.tif 000004
【図４】
0004987742.tif 000005
【図５】
0004987742.tif 000006
【図６】
0004987742.tif 000007
【図７】
0004987742.tif 000008
【図８】
0004987742.tif 000009
【図９】
0004987742.tif 000010
【図１０】
0004987742.tif 000011
【図１１】
0004987742.tif 000012